(57)【要約】【課題】薄型のスイッチギヤは、外線ケーブルが上方向に引き出されるときは主母線と前後方向で交差するため、奥行き方向にスイッチギヤ外形が大きくなるという問題があった。上記の薄型スイッチギヤを背面合わせにて構成した場合でも、奥行寸法を大きくすることのない閉鎖形スイッチギヤを得る。【解決手段】縦に複数台並べた遮断器２を２組配置し、１つの筐体ＣＡ内に前記２組の遮断器２をそれぞれ背中合わせに配置するとともに、主母線１は筐体ＣＡの前後方向の中央部、且つ上部に配置し、主母線１に接続される１−７分岐導体４は筐体ＣＡの前後方向の中央部に直立して筐体ＣＡの幅方向に並置するよう配置させることで、筐体と主母線１を共用とした。【選択図】図１
2017212779.tif 000002
【特許請求の範囲】
【請求項１】
縦に複数台並べた２組の遮断器を備え、一つの筐体内に前記２組の遮断器をそれぞれ背中合わせに配置するとともに、主母線は前記筐体の前後方向の中央部、且つ上部に配置され、前記主母線から前記遮断器にそれぞれ接続される複数の分岐導体は前記筐体の前後方向の中央部に直立して前記筐体の幅方向に並置するよう配置されるものであって、前記分岐導体はそれぞれ板状部材により構成され、前記遮断器の背面と平行に延在して配置されることを特徴とする閉鎖形スイッチギヤ。
【請求項２】
前記遮断器の前面に対向して前記筐体に扉を設けるとともに、列盤締結部と基礎締結部を前記遮断器の前面側に集約したことを特徴とする請求項１に記載の閉鎖形スイッチギヤ。
【請求項３】
前記２組の遮断器は、それぞれ筐体の幅方向の左側と右側に片寄って配置されていることを特徴とする請求項２に記載の閉鎖形スイッチギヤ。
【請求項４】
前記分岐導体を、前記主母線から最下段の遮断器まで一本の導体で構成したことを特徴とする請求項２または請求項３に記載の閉鎖形スイッチギヤ。
【請求項５】
前記最下段の遮断器の上側端子が前記主母線から分岐する分岐導体に直接噛み込み嵌合することを特徴とする請求項４に記載の閉鎖形スイッチギヤ。
【請求項６】
前記分岐導体は、３相２組６本の導体を筐体の幅方向に一列に並べて配置するようにしたことを特徴とする請求項３に記載の閉鎖形スイッチギヤ。
【請求項７】
前記主母線は盤上部に、前面から順番にＲ相、Ｓ相、Ｔ相の順に配置し、Ｓ相の位置は前後方向において中央に位置するようにしたことを特徴とする請求項１または請求項２に記載の閉鎖形スイッチギヤ。
【請求項８】
前記６本の分岐導体を前記筐体の両側面の柱間を渡らせた絶縁物で一体に固定するようにしたことを特徴とする請求項１または請求項２に記載の閉鎖形スイッチギヤ。
【発明の詳細な説明】
【技術分野】
【０００１】
本発明は、閉鎖形スイッチギヤ、特に、遮断器などの開閉装置が金属製の筐体に収容された金属閉鎖形スイッチギヤの構造に関する。
【背景技術】
【０００２】
閉鎖形スイッチギヤには図７のように、それぞれの筐体内に複数の遮断器を収容した２面のスイッチギヤを背中合わせに載置し、前面は扉１１、背面は現地で取り外すことを想定していないカバー１２によって構成され、保守・操作を前面から実施することを想定した薄型のタイプがある（特許文献１参照）。なお、図７（ａ）は、扉を外した状態の正面図、図７（ｂ）は側面板を省略した状態の側面図を示す。
この種のスイッチギヤにおいて、通常は上部に隣接盤と電路を形成するための主母線１が配置されている。遮断器２は正面向かって右側に寄せて２段、或いは３段以上を縦に並べて配置される（図７では３段の例を示す）。
上記遮断器２は、車輪が付いた移動可能なタイプであり、スイッチギヤの前面からの操作により接続位置と断路位置に移動可能であり、専用のリフタを使用することで盤外にも引出可能である。上記主母線１と各遮断器２の上側端子は分岐導体４により接続され、遮断器２の下側端子と遮断器２の左側に配置された外線ケーブル接続端子８ａは電流測定用変流器１０を介して、電線等の導体により接続される。
【０００３】
外線ケーブル８は上方向に引き出すときは主母線１と干渉しないように、主母線１の前側を通過して、外部へと引き出す。遮断器２を３段積みのときは、主母線１と最上段に配置された遮断器２の上側端子は上段用分岐導体４ａにて接続される。最上段の遮断器２ａと中段の遮断器２ｂの上側端子は中段用分岐導体４ｂにて接続される。また、中段の遮断器２ｂの上側端子と最下段の遮断器２ｃの上側の端子は下段用分岐導体４ｃにて接続される。
上記中段用分岐導体４ｂと上記下段用分岐導体４ｃは遮断器２と背面カバー１２の間を通過する。このタイプのスイッチギヤは設置スペースの制約から背面合わせでの設置で計画されることが多く、床部に設けた基礎締結部にて基礎と固定される。通常、基礎据付部はスイッチギヤの前方と後方にある。また隣接するスイッチギヤは前側と後側のそれぞれの柱をボルトにて締結して配列を構成する。
【先行技術文献】
【特許文献】
【０００４】
【特許文献１】特開平７−３９０２７号公報（図４２、図４３）
【発明の概要】
【発明が解決しようとする課題】
【０００５】
上記の特許文献１に記載の薄型のスイッチギヤは、外線ケーブルが上方向に引き出されるときは主母線と前後方向で交差するため、奥行き方向にスイッチギヤ外形が大きくなる。また、基礎据付部は床面の前側と後側に締結部位があるが、機器や導体が盤下部に配置されているときは後側の基礎締結部のアクセスが困難であり、作業性が悪い。さらに、隣の盤と列盤するために隣接盤の後側の柱をボルトにて締結するとき、特に締結部の前方に機器が配置されているときはアクセスが困難であり、作業性が悪い。
【０００６】
また、上記の薄型スイッチギヤを背面合わせにて構成するときは、配列の任意の部位にて主母線同士を導体にて接続する必要があり、そのためのスペースや導体材料費に無駄が生じる。また中段用分岐導体、下段用分岐導体と背面カバーとの絶縁距離を確保する必要があるのでスイッチギヤ本体が奥行き方向に大きくなってしまうという問題があった。
【課題を解決するための手段】
【０００７】
この発明の閉鎖形スイッチギヤは、縦に複数台並べた２組の遮断器を備え、一つの筐体内に前記２組の遮断器をそれぞれ背中合わせに配置するとともに、主母線は前記筐体の前後方向の中央部、且つ上部に配置され、前記主母線から前記遮断器にそれぞれ接続される複数の分岐導体は前記筐体の前後方向の中央部に直立して前記筐体の幅方向に並置するよう配置されるものであって、前記分岐導体はそれぞれ板状部材により構成され、前記遮断器の背面と平行に延在して配置されることを特徴とするものである。
【発明の効果】
【０００８】
この発明によれば、分岐導体の絶縁確保が容易となりスイッチギヤの奥行寸法を小さくすることができる。さらに、奥行寸法を縮小化した上で母線を一つに集約することにより、外線スペースが確保できるため、外線施工作業の作業性が向上する。
【図面の簡単な説明】
【０００９】
【図１】本発明に係る実施の形態１における閉鎖形スイッチギヤの構成を示す正面図および側面図である。
【図２】本発明に係る実施の形態１における閉鎖形スイッチギヤの構成を示す上面図である。
【図３】図１に記載するIII−III線における断面図である。
【図４】図１に記載するIV−IV線における断面図である。
【図５】本発明に係る実施の形態２における閉鎖形スイッチギヤの構成を示す側面図である
【図６】図５に記載するVI−VI線における断面図である。
【図７】薄型スイッチギヤを背面合わせに配置した例を示す正面図および側面図である。
【発明を実施するための形態】
【００１０】
実施の形態１．
この発明に係る実施の形態１を図１から図４までについて説明する。図１は実施の形態１における閉鎖形スイッチギヤを示す図で、図１（ａ）は前面扉を省いた状態の正面図、図１（ｂ）は側面板を省いた状態の側面図である。図２は上面図である。また、図３には図１に記載するIII−III線における断面図を、図４には図１に記載するIV−IV線における断面図を示している。
閉鎖形スイッチギヤにおける盤の外周部を構成する筐体ＣＡの内部に複数の遮断器２が配置され、遮断器２は分岐導体４によって主母線１にそれぞれ接続される。主母線１は筐体ＣＸにより形成される隣接盤との共通電路を構成する。筐体ＣＡは基礎締結部ＢＣにより基礎構造物と結合される。筐体ＣＡと両隣の筐体ＣＸとは列盤締結部ＮＣによって連結される。
主母線１は筐体ＣＡで形成される盤の上部に配置し、前面から順番にＲ相の母線１Ｒ、Ｓ相の母線１Ｓ、Ｔ相の母線１Ｔ順に配置する。このとき、Ｓ相の位置はスイッチギヤの前後方向において中央に位置する場所に配置する。
【００１１】
遮断器２は縦に複数台並べた状態の２組を、図２に示す位置に配置する。各遮断器２は図２に記載する矢印の方向に動作可能することで断路をすることができ、またメンテナンスの際には、専用のリフタを用いることで盤外に引き出すことも可能である。主母線１と最下段の遮断器２の上側端子３は分岐導体４に直接噛み込み嵌合する。この分岐導体４はスイッチギヤの前後方向において、中央部に配置し、最下段の遮断器上側端子３までは１本で構成する。
なお、最下段以外の遮断器の上段端子５は分岐導体４に直接接続する構造とする。
【００１２】
次に、遮断器二次側の導電部構成について説明する。遮断器２は図２に示すようにスイッチギヤの片側に寄せて配置しているが、遮断器２の下側端子６に接続される導体７は、いったん下方向に向かって延び、遮断器をスイッチギヤ片側に寄せている方向とは逆側に延ばして構成し、盤外から入ってくる外線ケーブル８へと接続される。
なお、外線ケーブル８は主母線１の前面、あるいは後面に設けられた外線スペース９より搬入される。また、外線ケーブル８と遮断器２の間で計測用の変流器１０を設けることもある。隣接盤と列盤するための列盤締結部ＮＣは扉１１付近の柱に設ける。また。基礎締結部ＢＣに関しては扉１１付近の床面に設ける。
【００１３】
上記の構造を有することで分岐導体４と裏面カバー１２（図７参照）間の絶縁距離を考慮する必要がなくなることで分岐導体４の絶縁確保が容易となり、スイッチギヤの奥行寸法を小さくすることができる。さらに奥行寸法を縮小化した上で主母線１を一つに集約することにより、外線スペース９が確保できるため、外線施工作業の作業性が向上する。さらに、図７の例では必要であった現地で接続する主母線１同士を接続する導体１３がなくなり、現地での作業が少なくなる。また、基礎締結部ＢＣと、隣接盤との列盤締結部ＮＣが扉１１付近となり、締結時の作業性が向上する。
【００１４】
この発明に係る実施の形態１における金属閉鎖形スイッチギヤでは、縦に複数台並べた２組の遮断器２を備え、一つの筐体ＣＡ内に前記２組の遮断器２をそれぞれ背中合わせに配置するとともに、主母線１は前記筐体ＣＡの前後方向の中央部、且つ上部に配置され、前記主母線１から前記遮断器にそれぞれ接続される複数の分岐導体４は前記筐体ＣＡの前後方向の中央部に直立して前記筐体ＣＡの幅方向へ左右に並置するよう配置されるものであって、前記分岐導体４はそれぞれ板状部材により構成され、前記遮断器２の背面ＲＳとの平行線上にそれぞれ延在し一列をなして配置されることを特徴とする。
この構成により、分岐導体と裏面カバー間の絶縁距離を考慮する必要がなくなることで分岐導体の絶縁確保が容易となり、スイッチギヤの奥行寸法を小さくすることができる。さらに、奥行寸法を縮小化した上で母線を一つに集約することにより、外線スペースが確保できるため、外線施工作業の作業性が向上する。
【００１５】
また、この発明に係る実施の形態１における金属閉鎖形スイッチギヤでは、前項の構成において、前記遮断器２の前面ＦＳに対向して前記筐体に扉１１を設けるとともに、列盤のための締結部位ＮＣと基礎締結部ＢＣを前記遮断器２の前面ＦＳ側に集約したことを特徴とする。
この構成により、列盤締結部ＮＣと基礎締結部ＢＣとが扉１１付近となって、締結時の作業性が向上する。
【００１６】
実施の形態２．
この発明に係る実施の形態２を図５および図６について説明する。本実施の形態２の側面図を図５に示す。また図５に記載しているVI−VI線における断面図を図６に示す。実施の形態１と同様に６本の分岐導体４を盤幅方向に一列に並べて配置する。また、これらの６本の導体４を一体物の絶縁物１４で固定する。絶縁物は幅方向に一気通貫しており、固定は絶縁物１４の側面と筐体の柱を直接ボルトで固定する。
【００１７】
上記のような構造を有することで、６本の分岐導体を効率よく固定することができ、部品点数を削減することでコスト削減ができる。
【００１８】
以上説明したとおり、この発明の閉鎖形スイッチギヤは、背面合わせした２面の薄型盤を１面に集約するため、主母線はスイッチギヤ前後方向の中央部、且つ上部に配置する。また、遮断器は縦に複数台並べた状態の物を２組配置し、例えば遮断器が縦に３台しか並ばない場合は、スイッチギヤ１面につき６台の遮断器を収納する。スイッチギヤの前後面は、共に扉構造とし、縦に並べて配置した１組の遮断器は前面から引き出し可能であり、もう１セットの遮断器は後面より引出が可能である。主母線につながる分岐導体は前後方向の中央部に直立して配置させる。この分岐導体は縦に並べられた複数台の遮断器一式に対して１セット準備される。すなわち、分岐導体はスイッチギヤ１面に対して２セット配置される。なお、ここに記載する１セットの分岐導体とは３相分の導体を示す。上記２セットの分岐導体、すなわち、６本の導体は幅方向に並列して配置する。さらに、スイッチギヤの基礎締結部は、スイッチギヤの前後部、すなわち前後面の扉付近の床面に配置する。隣接盤との列盤用締結部も前後部の扉付近の柱部に配置する。
【００１９】
なお、本発明は、その発明の範囲内において、各実施の形態の一部または全部を自由に組み合わせたり、各実施の形態を適宜、変形、省略することが可能である。
【符号の説明】
【００２０】
１：主母線、２：遮断器、２ａ：上段遮断器、２ｂ：中段遮断器、２ｃ：下段遮断器、３：最下段遮断器の上側端子、４：分岐導体、４ａ：上段用分岐導体、４ｂ：中段用分岐導体、４ｃ：下段用分岐導体、５：上段、中段の遮断器の上側端子、６：遮断器の下側端子、７：導体、８：外線ケーブル、８ａ：外線ケーブル接続端子、９：外線スペース、１０：計器用変流器、１１扉、１２：裏面カバー、１３：導体、１４：絶縁物。
【図１】
2017212779.tif 000003
【図２】
2017212779.tif 000004
【図３】
2017212779.tif 000005
【図４】
2017212779.tif 000006
【図５】
2017212779.tif 000007
【図６】
2017212779.tif 000008
【図７】
2017212779.tif 000009